(57)【要約】      （修正有）【課題】伸縮リングプレート式立坑内掘削機を提供する。【解決手段】伸縮リングプレート２１の一側に縦向き開口２３が設けられ、並びに伸縮リングプレートの内壁の該縦向き開口の両側位置に、一つ以上のアクチュエータ２４が設けられ、ドリル手段３０は伸縮アーム３１を具え、該伸縮アームの底部にドリル構造３２が設けられている。本掘削機は鋼性ケーシング内に吊り下げられ、該アクチュエータにより該伸縮リングプレートを押し広げてその径方向長さが変更され、該掘削機が立坑中の所定位置に位置決めされ、並びに操作インタフェース３３により伸縮アームを制御して掘削工程を実行し、且つドリルマシンを鋼性ケーシングと共に直接回転させることにより、伝統的な施工の欠点を改善し、施工の品質と効率をアップする。【選択図】図２
0003159346.tif 000002
【実用新案登録請求の範囲】
【請求項１】
地下の作業立坑の鋼性ケーシング内で掘削を行うための伸縮リングプレート式立坑掘削ドリルにおいて、
伸縮リングプレートであって、該鋼性ケーシングより径方向長さが小さい環状管とされ、該環状管の一側に上部から底部に貫通する縦向き開口が設けられ、並びに該伸縮リングプレートの内壁の該縦向き開口位置に、一つ以上の位置決め手段と一つ以上のアクチュエータが設けられた、上記伸縮リングプレートと、
ドリル手段であって、該環状管の内側に設置された縦向きに伸縮できる伸縮アームを具え、並びに伸縮アームの底部にドリル構造が設けられ、該掘削ドリルは上述のドリル構造、該伸縮アーム及び該アクチュエータと接続された操作インタフェースを具え、該伸縮アームに、上述の環状管に接続された二つの回転シートが設けられ、該二つの回転シートの間に、回転軸セットで枢接された固定アームが設けられ、上述の固定アームの外側に、縦方向に移動可能なスライドアームが設けられ、該固定アームと該スライドアームの間に、伸縮長さを制御可能なアクチュエータ装置が設けられ、上述のドリル構造は上述のスライドアームの底端に可動に組み合わされる、上記ドリル手段と、
を包含し、該伸縮リングプレートがアクチュエータの押し開きにより自身の径方向長さを拡張し、該伸縮リングプレートが鋼性ケーシングの内径に合わせて支持固定されることを特徴とする、伸縮リングプレート式立坑掘削ドリル。
【請求項２】
請求項１記載の伸縮リングプレート式立坑掘削ドリルにおいて、該掘削ドリルにさらに、該伸縮リングプレートの内側に設置された連接アームが設けられ、該連接アームの別端が上述の固定アームに接続され、並びに上述の回転シートに組み合わされて該ドリル手段の左右回転が制御されることを特徴とする、伸縮リングプレート式立坑掘削ドリル。
【請求項３】
請求項１記載の伸縮リングプレート式立坑掘削ドリルにおいて、該掘削ドリルに回転ユニットが設けられ、該回転ユニットの底部にドリルが設けられ、該回転ユニットは可動手段で上述のスライドアームに接続され、これにより該ドリル構造は前後左右の十字回転機能を具備するものとされたことを特徴とする、伸縮リングプレート式立坑掘削ドリル。
【請求項４】
請求項３記載の伸縮リングプレート式立坑掘削ドリルにおいて、該ドリルに該回転ユニットに組み合わされた固定軸が設けられ、該固定軸の底部には岩盤を貫通するドリル歯が設けられ、並びに４周側に二つの螺旋羽根が設置され、この二つの螺旋羽根の底端面に複数の小型ドリル歯が設けられたことを特徴とする、伸縮リングプレート式立坑掘削ドリル。
【請求項５】
請求項１記載の伸縮リングプレート式立坑掘削ドリルにおいて、該ドリル手段の操作インタフェースが上述の伸縮リングプレートの内部に設置されたことを特徴とする、伸縮リングプレート式立坑掘削ドリル。
【請求項６】
請求項１記載の伸縮リングプレート式立坑掘削ドリルにおいて、該ドリル手段はさらに外付動力源を有し、該外付動力源は該鋼性ケーシング外部の地面上方に設置され、並びに一つ以上の連接オイルパイプで作業立坑内のドリル手段と接続されたことを特徴とする、伸縮リングプレート式立坑掘削ドリル。
【請求項７】
請求項６記載の伸縮リングプレート式立坑掘削ドリルにおいて、該外付動力源内部に加圧ポンプセット、該加圧ポンプセットに接続されたエンジン動力セット及び該加圧ポンプセットに接続された操作オイルボックスが設けられ、該加圧ポンプセットは上述の連接オイルパイプと接続されたことを特徴とする、伸縮リングプレート式立坑掘削ドリル。
【請求項８】
請求項６記載の伸縮リングプレート式立坑掘削ドリルにおいて、該外付動力源内部に加圧ポンプセット、該加圧ポンプセットに接続された電力源及び該加圧ポンプセットに接続された操作オイルボックスが設けられ、該加圧ポンプセットは上述の連接オイルパイプと接続されたことを特徴とする、伸縮リングプレート式立坑掘削ドリル。
【請求項９】
請求項６記載の伸縮リングプレート式立坑掘削ドリルにおいて、該外付動力源は、エンジン構造と加圧ポンプユニットを具えた作業機とされたことを特徴とする、伸縮リングプレート式立坑掘削ドリル。
【請求項１０】
請求項６記載の伸縮リングプレート式立坑掘削ドリルにおいて、該ドリル手段の操作インタフェースは該外付動力源外部に設けられたことを特徴とする、伸縮リングプレート式立坑掘削ドリル。
【考案の詳細な説明】
【技術分野】
【０００１】
本考案は立坑内の掘削作業に用いられる掘削機に係り、特に、伸縮リングプレートを有し、該伸縮リングプレートを押し広げることで、直接作業立坑内に固定される伸縮リングプレート式立坑掘削ドリルに関する。
【背景技術】
【０００２】
伝統的な下水道の施工法式は、まず立坑揺管機で鋼製ケーシングを保持して作業を行ない、立坑揺管機の機台の挟持装置で鋼製ケーシングを挟持定位の後、往復式回転する揺動装置と上下移動を行う昇降装置により鋼製ケーシングを地下に打ち込む作業を行ない、並びに鋼製ケーシングを地下の所定深さに埋め込み、下水道工程の鋼製ケーシング埋設作業を完成する。
【０００３】
このほか、鋼製ケーシング埋設作業完成後には、さらに鋼製ケーシング内部で坑内掘削工程を実行して下水道を形成しなければならない。しかし、施工地点の地層が岩盤層のとき、前述の鋼製ケーシングの打ち込み作業を完成することができないため、地下をドリリングできる掘削機が必要となる。
【０００４】
一般にほとんどの大型掘削機は、有効に地下の岩盤に対する掘削を行えないが、市場には岩盤を掘削するための特殊な大型掘削機がある。しかし、ほとんどの大型掘削機の占有空間は大きすぎ、それは大きな街路上でしか施工できず、施工区域が狭い道路である場合は、このような大型掘削機は使用することができない。
【０００５】
この問題を解決するための、一般に最もよく見られる方法は、作業員と小型のエア駆動式掘削機具を作業立坑底部に送り、作業員が手動で小型のエア駆動式掘削機具を操作する、というものである。しかし、このような小型のエア駆動式掘削機具の最大の問題は、地質が比較的柔らかい地層にしか適用できず、比較的固い岩盤層には有効にドリリングが行えないということである。このため市場には、別に、鋼性ケーシング内部に小型掘削ドリル或いは破砕機をおいて岩盤層に対する掘削を行う方法がある。
【０００６】
この方式は、クレーンで小型掘削ドリルを吊り下げて鋼性ケーシング内に進入させ、並びに作業員が鋼性ケーシング内部で小型掘削ドリルを操作し岩盤掘削を行う。このとき、掘削された土砂は容器に入れられ、並びにクレーンで外に運び出され、外で傾倒して排出される。こうして、小型掘削ドリルによる岩盤掘削工程を達成する。
【０００７】
しかし、小型掘削機による掘削工程の欠点は、掘削機をいかにコンパクト化しても、小型掘削機に岩盤掘削効果を達成させるためには、現在の技術から言うと、掘削機自体の体積をちょうど鋼製ケーシング構造の大きさに符合するまでにしか縮小できず、このため、小型掘削機を作業立坑内に入れて施工するときは、設置した単一方向に向けてのみしか掘削できず、この小型掘削機を鋼製ケーシングの作業立坑内で自己転向させられないため、掘削の方向を変える必要があるときは、クレーンで地面から引き上げて転向させ、転向完成後に再びこの小型掘削機を鋼製ケーシングの内部に設置して異なる方向の掘削を行わねばならないということである。
【０００８】
このような施工方式のステップは煩瑣であり、往々にして下水道の施工の工期が延長され、施工コストの増加をもたらし、また下水道の地下掘削の施工の安全性を考慮しても、伝統的な鋼性ケーシング内部での小型掘削ドリル応用の施工方式は改良の必要がある。
【考案の概要】
【考案が解決しようとする課題】
【０００９】
本考案の主要な目的は一種の伸縮リングプレート式立坑掘削ドリルを提供することにあり、この伸縮リングプレート式立坑掘削ドリルは径方向長さを変更できる伸縮リングプレートを有し、並びに該伸縮リングプレート内部に下向きに掘削できるドリル手段が固定されて掘削工程を行ない、伝統的な掘削ドリルの体積が膨大すぎて施工に不便である問題を軽減し、その伸縮リングプレートが直接立坑内の鋼性ケーシングに組み合わされて回転させられることで掘削ドリルの方向転換が行え、伝統的な体積が膨大である掘削ドリルの、重複して吊り下げて掘削方向を変更しなければならない問題を改善し、これにより施工の効率を有効にアップできるものとする。
【００１０】
本考案の別の目的は、ドリル手段の動力源を立坑外の地面上に設置し、外付動力源とドリル手段を分離し、掘削ドリルの作業立坑中での排気排出問題を改善し、作業員の作業立坑内での施工の安全性をアップすることにある。
【課題を解決するための手段】
【００１１】
上述の目的を達成するため、本考案の伸縮リングプレート式立坑掘削ドリルは、伸縮リングプレートと、該伸縮リングプレート内部に設けられるドリル手段により構成され、該伸縮リングプレートは環状管とされ、該環状管の一側に上部から底部に貫通する縦向き開口が設けられ、並びに該伸縮リングプレートの内壁の該縦向き開口位置に、一つ以上の位置決め手段と一つ以上のアクチュエータが設けられている。上述の掘削ドリルは上述の環状管の内側に縦向きに伸縮できる伸縮アームを具え、並びに伸縮アームの底部にドリル構造が設けられ、該掘削ドリルは上述のドリル構造、伸縮アーム及びアクチュエータと接続された操作インタフェースを具え、該伸縮アームに、上述の環状管に接続された二つの回転シートが設けられ、該二つの回転シートの間に、回転軸セットで枢接された固定アームが設けられ、上述の固定アームの外側に、縦方向に移動可能なスライドアームが設けられ、該固定アームと該スライドアームの間に、伸縮長さを制御可能なアクチュエータ装置が設けられ、上述のドリル構造は上述のスライドアームの底端に可動に組み合わされる。
【００１２】
本考案の特徴は、上述の伸縮リングプレートがアクチュエータの押し開きにより自身の径方向長さを拡張し、該伸縮リングプレートが鋼性ケーシングの内径に合わせて支持固定されることにある。
【００１３】
上述の伸縮リングプレートの上部に、複数の吊掛部材が設けられ、該吊掛部材は外向きに突伸した凸塊とされ、該凸塊の内部に貫通孔が設けられている。該位置決め手段は該縦向き開口の一側辺位置に、外向きに凸設された位置決めロッドを具え、並びに縦向き開口の別側辺の対応位置に、穿孔を具えた嵌合シートが設けられ、上述の位置決めロッドが該穿孔に摺動可能に組み合わされている。
【００１４】
上述のアクチュエータ装置は、上述の固定アームの一端に位置決めされたホルダを具え、並びにロッドでシリンダが該ホルダに固定され、上述のシリンダに伸縮移動可能なピストンが連設され、並びにピストンの端部に上述のスライドアームの別端が固定された枢接シートが枢設される。
【００１５】
上述のドリル手段は上述の伸縮リングプレート内側に設置された連接アームを具え、該連接アームの別端は上述の固定アームに接続され、並びに上述の回転シートが組み合わされることで、ドリル手段の左右回転が制御される。
【００１６】
上述のドリル構造は回転ユニットを具え、並びに回転ユニットの底部にドリルが設けられ、上述の回転ユニットは可動部材で上述のスライドアームに接続され、ドリル構造は、前後左右の十字回転の機能を有し、該ドリルは該回転ユニットに組み合わされた固定軸が設けられ、該固定軸の底部には岩盤を貫通するドリル歯が設けられ、並びに４周側に二つの螺旋羽根が設置され、この二つの螺旋羽根の底端面に複数の小型ドリル歯が設けられている。上述の操作インタフェースは上述の伸縮リングプレートの内部に設置される。
【００１７】
本考案の伸縮リングプレート式立坑掘削ドリルには、外付動力源が設けられ、この外付動力源は、鋼性ケーシング外部の地面上方に設置され、並びに一つ以上の連接オイルパイプで作業立坑内のドリル手段と接続され、上述の外付動力源内部には加圧ポンプセット、該加圧ポンプセットに接続されたエンジン動力セット及び該加圧ポンプセットに接続された操作オイルボックスが設けられ、該加圧ポンプセットは上述の連接オイルパイプと接続される。
【００１８】
別の実施例において、上述の外付動力源内部には加圧ポンプセット、該加圧ポンプセットに接続された電力源及び該加圧ポンプセットに接続された操作オイルボックスが設けられ、該加圧ポンプセットは上述の連接オイルパイプと接続される。
【００１９】
さらに別の実施例において、該外付動力源はエンジン構造と加圧ポンプユニットを具えた作業機とされ、一般の作業機内部にはエンジン構造と加圧ポンプセットが設けられているため、上述の外付動力源として周知の施工に用いられる掘削機を使用でき、この掘削機により本考案のドリル手段の動力を提供する。
【００２０】
上述の三つの実施例中、該ドリル手段の操作インタフェースは該外付動力源外部に設けてもよく、作業員がこれにより地面上で操作できて便利である。
【考案の効果】
【００２１】
総合すると、本考案は吊掛機により作業立坑中に置き入れられ、アクチュエータにより押し広げられて伸縮リングプレートの径方向長さが変更され、伸縮リングプレートが強固に作業立坑中に位置決めされ、並びに伸縮リングプレートの内側に地層構造に対応するドリル手段が設けられ、ドリル手段で地層に対するドリル作業を行ない、有効にドリル作業の効率をアップする。また、本考案は外付動力源が作業立坑外の地面上に設置されることで、作業員の作業立坑内での作業の安全性をアップする。
【図面の簡単な説明】
【００２２】
【図１】本考案が立坑揺管機が形成した作業立坑中での使用表示図である。
【図２】本考案の好ましい実施例の立体図である。
【図３】図２の位置決め手段とアクチュエータの断面図である。
【図４】図２の掘削ドリルの断面図である。
【図５】図４の掘削ドリル内部の表示図である。
【図６】本考案の作業立坑内に吊掛られ未圧接支持状態の断面図である。
【図７】本考案の作業立坑内に吊掛られ圧接支持状態の断面図である。
【図８】本考案の外付動力源を組み合わせた立体図である。
【図９】本考案の外付動力源内部構造のブロック図である。
【図１０】本考案による地層ドリル工程表示図である。
【図１１】本考案による地層ドリル工程表示図である。
【図１２】本考案による地層ドリル工程表示図である。
【考案を実施するための形態】
【００２３】
以下に、本考案の構造、使用及びその特徴を一層明確に、詳細にご理解いただくため、好ましい実施例を図面を組み合わせて説明する。
【００２４】
図１及び図２を参照されたい。本考案の伸縮リングプレート式立坑掘削ドリルは、立坑揺管機１０で鋼性ケーシング１１を打ち込んだ地下の作業立坑中にて使用され、該伸縮リングプレート式立坑掘削ドリル２０は、径方向長さが該鋼性ケーシング１１よりやや小さい伸縮リングプレート２１と、該伸縮リングプレート２１内部に設けられたドリル手段３０を有する。
【００２５】
図３に示されるように、該伸縮リングプレート２１に径方向長さが上述の鋼性ケーシング１１よりやや小さい環状管２２が設けられ、該環状管２２の一側に、上部から底部に貫通する縦向き開口２３が設けられ、該環状管２２の内側の該縦向き開口位置に、二つのアクチュエータ２４と該二つのアクチュエータ２４の間に位置する位置決め手段２５が設けられている。これは説明に便利とするための例であり、アクチュエータ２４と位置決め手段２５の数量を制限するものではなく、また、該アクチュエータ２４及び位置決め手段２５は使用の必要に応じていずれも一つ以上の所定数量が使用される。
【００２６】
そのうち、上述の位置決め手段２５は、該縦向き開口の一側辺位置において外向きに凸設された位置決めロッド２５１を有し、並びに該縦向き開口２３の別側辺の対応位置に嵌合シート５４２が設けられ、該嵌合シート２５２に貫通孔が設けられて、該貫通孔に上述の位置決めロッド２５１が摺動可能に挿入される。
【００２７】
該アクチュエータ２４に、上述の縦向き開口２３の一側に位置決めされたホルダ２４１が設けられ、並びにロッド２４２でシリンダ２４３が該ホルダ２４１に設置され、該シリンダ２４３に伸縮移動可能なピストン２４４が連設され、並びに該ピストン２４４の端部に、上述の縦向き開口２３の別側に固定された枢接シート２４５が枢設される。
【００２８】
図４を参照されたい。上述のドリル手段３０は、縦向きに長さを伸縮できる伸縮アーム３１、地底に対して掘削するドリル構造３２及び操作インタフェース３３で構成される。そのうち、上述の伸縮アーム３１に、上述の環状管２２と連接された回転シート３１１が設けられ、二つの回転シート３１１の間に回転軸３１２で組み合わされた固定アーム３１３が設けられ、該固定アーム３１３の外側に、縦方向に移動可能なスライドアーム３１４が設けられ、該固定アーム３１３と該スライドアーム３１４の間に、伸縮長さを制御するアクチュエータ装置３１５が設けられ、該ドリル構造３２は上述のスライドアーム３１４の底端に可動に組み合わされる。上述のドリル手段３０に上述の伸縮リングプレート２１の内側に設置された連接アーム３１６が設けられ、該連接アーム３１６の別端は固定アーム３１３に接続され、並びに該回転シート３１１によりドリル手段３０の左右回転が制御される。
【００２９】
図５に示されるように、上述のアクチュエータ装置３１５とアクチュエータ２４の構造は同じであるため、詳しい説明は省略する。上述のドリル構造３２に回転ユニット３２１が設けられ、並びに回転ユニット３２１の底部にドリル３２３が設けられ、上述の回転ユニット３２１は可動手段３２２で上述のスライドアーム３１４に接続され、該ドリル構造３２がこれにより前後左右の十字回転運動を行える。図示された好ましい実施例において、上述のドリル構造３２に、上述の回転ユニット３２１に組み合わされた固定軸３２４が設けられ、該固定軸３２４の底部に岩盤を貫通するドリル歯３２５が設けられ、並びに四周側に二つの螺旋羽根３２６が設けられ、該二つの螺旋羽根３２６の底端面に複数の小型ドリル歯３２７が設けられ、しかし、このドリル構造３２は説明に便利であるように例示したものであって、これに限定されるものではない。
【００３０】
図３に示されるように、上述の操作インタフェース３３は上述のドリル構造３２、伸縮アーム３１、連接アーム３１６及びアクチュエータ２４に電気的に接続されて、該ドリル構造３２の起動回転、上述の伸縮アーム３１の縦向き移動、上述の伸縮アーム３１の横向き回転及び上述のアクチュエータ２４の横向き支持を制御する。図示される好ましい実施例において、上述の操作インタフェース３３は伸縮リングプレート２１の内部に設置されて、作業立坑内の作業員がドリル構造３２の回転、伸縮アーム３１の縦方向移動及びアクチュエータ２４の左右横方向支持を操作しやすいものとされる。
【００３１】
上述の伸縮リングプレート２１の上部には複数の吊掛部材２６が設けられ、上述の吊掛部材２６は内向きに延伸された凸塊２６１とされて、該凸塊２６１内部に、ケーブルを接続するための貫通孔２６２が設けられ、本発明の伸縮リングプレート２１は該吊掛部材２６の貫通孔２６２により吊掛用のケーブルを具えた吊掛機と組み合わされ、並びに該吊掛機で該伸縮リングプレート２１が吊り下げられて鋼性ケーシング１１内部の所定位置に置かれる。
【００３２】
図６及び図７に示されるように、本考案の特徴は、伸縮リングプレート２１がアクチュエータ２４の押し開きにより自身の径方向長さが拡張され、伸縮リングプレート２１が鋼性ケーシング１１の内径に合わせて支持固定され、並びに操作インタフェース３３によりドリル手段３０が制御されて伸縮及びドリル動作を行う。これにより本考案の掘削ドリル２０が立坑底部のドリル工程を行える。このほか、施工過程中にドリル方向を変更した時、ただ立坑揺管機１０で鋼性ケーシング１１を回転させれば、伸縮リングプレート２１内のドリル手段３０の方向を変更させられ、これにより伝統的な施工の不便な問題を改善できる。
【００３３】
図８に示されるように、伝統的な施工方式が作業立坑内の作業員に引き起こしやすい事故を減らすため、本考案の伸縮リングプレート式立坑掘削ドリル２０には外付動力源４０が設けられ、該外付動力源４０は立坑外の地面上に設置され、並びに一つ以上の連接オイルパイプ４１で立坑内のドリル手段３０と相互に接続され、上述のドリル手段３０の動力源を提供する。
【００３４】
図９に示されるように、好ましい実施例において、該外付動力源４０内部にはエンジン動力装置４２、加圧ポンプ４３及び操作オイルボックス４４が設けられる。そのうち、上述のエンジン動力装置４２は加圧ポンプ４３に接続され、該操作オイルボックス４４も加圧ポンプ４３に接続され、該加圧ポンプ４３は該連接オイルパイプ４１に接続される。
【００３５】
別の実施例において、該外付動力源４０内部には電力源４５、加圧ポンプ４３及び操作オイルボックス４４が設けられ、該電力源４５は発電機４５１に電動モータ４５２を組み合わせて構成されるか、或いは外付電源４５３に電動モータ４５２を組み合わせて構成され、上述の電力源４５と操作オイルボックス４４はいずれも加圧ポンプ４３に接続され、該加圧ポンプ４３は連接オイルパイプ４１に接続される。
【００３６】
また、ある実施例では、上述の外付動力源４０はエンジン構造と加圧ポンプユニットを具えた作業機４６とされ、作業機４６が上述の連接オイルパイプ４１に直接接続され、こうして一般の掘削機形態の作業機４６により本考案の動力を提供し、これにより施工機具及び施工コストを減らす。
【００３７】
上述の外付動力源４０とドリル手段３０の間にはさらにコントロールバルブ構造が設けられ、これにより外付動力源４０の動力出力の大きさを操作する。図示される実施例では、該外付動力源４０と連接オイルパイプ４１の間には上方コントロールバルブ４７が設けられ、別の実施例では、該連接オイルパイプ４１とドリル手段３０の間に下方坑内コントロールバルブ４８が設けられている。
【００３８】
以上の三つの実施例において、上述のドリル手段３０の操作インタフェース３３はいずれも該外付動力源４０に設置され、これにより、作業員が直接地面上で伸縮アーム３１、ドリル構造３２、連接アーム３１６及びアクチュエータ２４を操作でき、これにより作業員は作業立坑内に降りて施工する必要がない。
【００３９】
本考案はドリル手段３０の外付動力源４０を作業立坑外の地面上に設置することにより、外付動力源４０と伸縮リングプレート２１内部のドリル手段３０を分離し、有効に作業立坑中の排気排出量を減らし、これにより、作業立坑内の施工環境を改善し、作業員の施工上の安全性を向上する。
【００４０】
図１０及び図１２を参照されたい。本考案の掘削ドリルで作業立坑中で掘削作業を行う時、まず伸縮リングプレート２１を作業立坑内の所定位置に固定し、並びにドリル手段３０のドリル構造３２を連接アーム３１６と可動手段３２２の回転を通して、対応するドリル作業位置に調整する。このとき、ドリル構造３２はまだ固定されておらず、このため、まず操作インタフェース３３によりドリル３２３を制御して低速回転させ、並びに小範囲の予設孔５０を形成し、さらに操作インタフェース３３でドリル３２３を高速回転させ、１ｍ程度の破壊孔５１を形成し、さらに、一定の間隔距離で反復するドリル工程を行ない、磁化岩盤に複数の同じ大きさの破壊孔５１を形成し、こうして、全体の作業立坑中の地層構造を破壊し、最後に一般のバケットを利用し、破壊した岩盤を掻き取り、以上で伝統の施工の不便である問題を改善する。
【００４１】
以上の実施例は本考案の説明のために提示したものであり、並びに制限を加えるものではなく、本考案の精神範疇から逸脱せずに、本考案の権利請求範囲と発明の詳細な説明に基づきなし得る各種の簡易な変更と修飾は、いずれも本考案の請求範囲に属する。
【符号の説明】
【００４２】
１０  立坑揺管機          ２６２  貫通孔              ３３  操作インタフェース
１１  鋼性ケーシング      ３０  ドリル手段            ４０  外付動力源
２０  掘削ドリル          ３１  伸縮アーム            ４１  連接オイルパイプ
２１  伸縮リングプレート  ３１１  回転シート          ４２  エンジン動力装置
２２  環状管              ３１２  回転軸              ４３  加圧ポンプ
２３  縦向き開口          ３１３  固定アーム          ４４  操作オイルボックス
２４  アクチュエータ      ３１４  スライドアーム      ４５  電力源
２４１  ホルダ            ３１５  アクチュエータ装置  ４５１  発電機
２４２  ロッド            ３１６  連接アーム          ４５２  電動モータ
２４３  シリンダ          ３２  ドリル構造            ４５３  外付電源
２４４  ピストン          ３２１  回転ユニット        ４６  作業機
２４５  枢接シート        ３２２  可動手段    ４７  上方コントロールバルブ
２５  位置決め手段        ３２３  ドリル      ４８  下方坑内コントロールバルブ
２５１  位置決めロッド    ３２４  固定軸      ５０  予設孔
２５２  嵌合シート        ３２５  ドリル歯            ５１  破壊孔
２６  吊掛部材            ３２６  螺旋羽根            ４３  加圧ポンプ
２６１  凸塊              ３２７  小型ドリル歯
【図１】
0003159346.tif 000003
【図２】
0003159346.tif 000004
【図３】
0003159346.tif 000005
【図４】
0003159346.tif 000006
【図５】
0003159346.tif 000007
【図６】
0003159346.tif 000008
【図７】
0003159346.tif 000009
【図８】
0003159346.tif 000010
【図９】
0003159346.tif 000011
【図１０】
0003159346.tif 000012
【図１１】
0003159346.tif 000013
【図１２】
0003159346.tif 000014
【手続補正書】
【提出日】平成22年3月9日(2010.3.9)
【手続補正１】
【補正対象書類名】実用新案登録請求の範囲
【補正対象項目名】請求項１
【補正方法】変更
【補正の内容】
【請求項１】
地下の作業立坑の鋼性ケーシング内で掘削を行うための伸縮リングプレート式立坑掘削ドリルにおいて、
伸縮リングプレートであって、該鋼性ケーシングより径方向長さが小さい環状管とされ、該環状管の一側に上部から底部に貫通する縦向き開口が設けられ、並びに該伸縮リングプレートの内壁の該縦向き開口位置に、一つ以上の位置決め手段と一つ以上のアクチュエータが設けられた、上記伸縮リングプレートと、
ドリル手段であって、該環状管の内側に設置された縦向きに伸縮できる伸縮アームを具え、並びに伸縮アームの底部にドリル構造が設けられ、掘削ドリルは上述のドリル構造、該伸縮アーム及び該アクチュエータと接続された操作インタフェースを具え、該伸縮アームに、上述の環状管に接続された二つの回転シートが設けられ、該二つの回転シートの間に、回転軸セットで枢接された固定アームが設けられ、上述の固定アームの外側に、縦方向に移動可能なスライドアームが設けられ、該固定アームと該スライドアームの間に、伸縮長さを制御可能なアクチュエータ装置が設けられ、上述のドリル構造は上述のスライドアームの底端に可動に組み合わされる、上記ドリル手段と、
を包含し、該伸縮リングプレートがアクチュエータの押し開きにより自身の径方向長さを拡張し、該伸縮リングプレートが鋼性ケーシングの内径に合わせて支持固定されることを特徴とする、伸縮リングプレート式立坑掘削ドリル。